(57)【要約】【課題】室内壁面から離した位置に表示装置を配置した場合にも表示装置の機能を確保した上で見栄え良く配置すること。【解決手段】前面が出入口となる収納部を有し、天板１３には収納部に連通する挿通孔１３ａが設けられた基台１０と、天板１３に設けた挿通孔１３ａの周囲を覆う態様で配設し、天板１３の上面から上方に突出したカバー部材３０と、天板１３の上方域に立設したベースパネル５０と、ベースパネル５０が液晶テレビモニタＴＶの後面全域を覆う状態で液晶テレビモニタＴＶを天板１３の上方域に支持する支持部材４０とを備えた。【選択図】図４
2014090873.tif 000002
【特許請求の範囲】
【請求項１】
少なくとも前面が出入口となる収納部を有し、天板には前記収納部に連通する挿通孔が設けられた基台と、
前記天板に設けた前記挿通孔の周囲を覆う態様で配設し、前記天板の上面から上方に突出したカバー部材と、
前記天板の上方域に立設したベースパネルと、
前記ベースパネルが物品の後面全域を覆う状態で当該物品を前記天板の上方域に支持する支持部材と
を備えたことを特徴とする家具。
【請求項２】
前記支持部材に物品を支持させた場合に、前記カバー部材の上端が前記物品の下端よりも上方に位置するように前記支持部材及び前記カバー部材を構成したことを特徴とする請求項１に記載の家具。
【請求項３】
前記ベースパネルよりも前方となる位置に前記挿通孔を設けるとともに、前記ベースパネルの前面側に前記支持部材を設けることにより、前記ベースパネルの前方域に物品の支持領域を構成したことを特徴とする請求項１または請求項２に記載の家具。
【請求項４】
前記天板の挿通孔にケーブル挿通域を確保した状態で前記挿通孔に貫通し、かつ下端部を前記収納部の内部において前記基台に支持させた支柱部材をさらに備え、
この支柱部材には、前記天板の上方に突出した部分に前記ベースパネルを保持させるとともに、前記支柱部材を挟んで前記ベースパネルの反対側に位置する部分に前記支持部材を設けたことを特徴とする請求項３に記載の家具。
【請求項５】
前記基台の収納部にはその内部を前方収容室と後方収容室とに分割する前後仕切板を配設し、
前記天板の挿通孔は前記収納部の後方収容室に連通する位置に形成したことを特徴とする請求項３に記載の家具。
【請求項６】
前記収納部の後方収容室は前記基台の後面に開口するものであり、
前記基台の後面には前記収納部の開口を開閉可能に閉塞する蓋部材を設けたことを特徴とする請求項５に記載の家具。
【請求項７】
前記ベースパネルよりも後方となる位置に前記挿通孔を設けるとともに、前記ベースパネルの後面に前記支持部材が取り付けてあり、前記ベースパネルの後方域に物品の支持領域を構成したことを特徴とする請求項１または請求項２に記載の家具。
【請求項８】
前記天板の上部において前記ベースパネルの前方域となる部位に前面が出入口となる上部収納棚を構成したことを特徴とする請求項７に記載の家具。
【請求項９】
前記天板の後方側に位置する縁部に、上面が前記天板と面一で連続するように配置される補助天板をさらに備えたことを特徴とする請求項７に記載の家具。
【請求項１０】
前記天板の下面には、一端部が前記天板の挿通孔に開口し、かつ他端部が前記基台において前記収納部の後面に開口したガイド通路を構成するガイド部材を設けたことを特徴とする請求項９に記載の家具。
【発明の詳細な説明】
【技術分野】
【０００１】
本発明は、家具に関するもので、特に、液晶テレビモニタやパソコンの液晶ディスプレイ等々、薄型の表示装置を設置するのに好適な家具に関するものである。
【背景技術】
【０００２】
この種の表示装置を設置する家具としては、例えば特許文献１に記載されたものが提供されている。この家具では、基台の側方に一対の支柱部材が配設されており、天板よりも上方に位置する端部に表示装置が取り付けられている。一対の支柱部材は、それぞれ基台の天板を超える長さを有し、基台の天板よりも下方に位置する部分が基台に支持されたものである。天板には、表示装置に繋がる電源ケーブルや各種信号ケーブルを天板の下方に導出するための挿通孔が設けられている。また、一対の支柱部材には、互いの間に化粧板が取り付けられている。
【先行技術文献】
【特許文献】
【０００３】
【特許文献１】特開２０１２−１００８７１号公報
【発明の概要】
【発明が解決しようとする課題】
【０００４】
ところで、表示装置の後面には、電源ケーブルや各種信号ケーブルの他に、プラグを差し込むコネクタやケーブルが接続される端子が設けられている場合が多い。特許文献１に記載されたものでは、支柱部材の間が化粧板によって閉塞されているものの、表示装置の両側後面が露出した状態にあり、見栄えの点で劣る。特に、表示装置の後面が室内壁面から離隔した状態で家具が配置された場合には、後面に露出したコネクタや端子が外部に露出し易い状態となるばかりでなく、異物と接触する機会も著しく増えることになり、表示装置の機能を確保する上でも好ましいとはいえない。
【０００５】
本発明は、上記実情に鑑みて、室内壁面から離した位置に表示装置を配置した場合にも表示装置の機能を確保した上で見栄え良く配置することのできる家具を提供することを目的とする。
【課題を解決するための手段】
【０００６】
上記目的を達成するため、本発明に係る家具は、少なくとも前面が出入口となる収納部を有し、天板には前記収納部に連通する挿通孔が設けられた基台と、前記天板に設けた前記挿通孔の周囲を覆う態様で配設し、前記天板の上面から上方に突出したカバー部材と、前記天板の上方域に立設したベースパネルと、前記ベースパネルが物品の後面全域を覆う状態で当該物品を前記天板の上方域に支持する支持部材とを備えたことを特徴とする。
【０００７】
また、本発明は、上述した家具において、前記支持部材に物品を支持させた場合に、前記カバー部材の上端が前記物品の下端よりも上方に位置するように前記支持部材及び前記カバー部材を構成したことを特徴とする。
【０００８】
また、本発明は、上述した家具において、前記ベースパネルよりも前方となる位置に前記挿通孔を設けるとともに、前記ベースパネルの前面側に前記支持部材を設けることにより、前記ベースパネルの前方域に物品の支持領域を構成したことを特徴とする。
【０００９】
また、本発明は、上述した家具において、前記天板の挿通孔にケーブル挿通域を確保した状態で前記挿通孔に貫通し、かつ下端部を前記収納部の内部において前記基台に支持させた支柱部材をさらに備え、この支柱部材には、前記天板の上方に突出した部分に前記ベースパネルを保持させるとともに、前記支柱部材を挟んで前記ベースパネルの反対側に位置する部分に前記支持部材を設けたことを特徴とする。
【００１０】
また、本発明は、上述した家具において、前記基台の収納部にはその内部を前方収容室と後方収容室とに分割する前後仕切板を配設し、前記天板の挿通孔は前記収納部の後方収容室に連通する位置に形成したことを特徴とする。
【００１１】
また、本発明は、上述した家具において、前記収納部の後方収容室は前記基台の後面に開口するものであり、前記基台の後面には前記収納部の開口を開閉可能に閉塞する蓋部材を設けたことを特徴とする。
【００１２】
また、本発明は、上述した家具において、前記ベースパネルよりも後方となる位置に前記挿通孔を設けるとともに、前記ベースパネルの後面に前記支持部材が取り付けてあり、前記ベースパネルの後方域に物品の支持領域を構成したことを特徴とする。
【００１３】
また、本発明は、上述した家具において、前記天板の上部において前記ベースパネルの前方域となる部位に前面が出入口となる上部収納棚を構成したことを特徴とする。
【００１４】
また、本発明は、上述した家具において、前記天板の後方側に位置する縁部に、上面が前記天板と面一で連続するように配置される補助天板をさらに備えたことを特徴とする。
【００１５】
また、本発明は、上述した家具において、前記天板の下面には、一端部が前記天板の挿通孔に開口し、かつ他端部が前記基台において前記収納部の後面に開口したガイド通路を構成するガイド部材を設けたことを特徴とする。
【発明の効果】
【００１６】
本発明によれば、支持部材に支持された表示装置の後面全域がベースパネルによって覆われることになり、室内壁面から離した位置に表示装置を配置した場合にも見栄えが損なわれることがない。しかも、表示装置の後面に設けられたコネクタや端子が異物に接触することもなくなり、表示装置の機能が損なわれる恐れもない。さらに、天板に設けた挿通孔の周囲をカバー部材によって覆うようにしているため、表示装置にケーブルが接続されている場合にもこれを外部に露出させることなく天板の下方側へ導出することができる。
【図面の簡単な説明】
【００１７】
【図１】図１は、本発明の実施の形態１である家具を前面側から見た斜視図である。
【図２】図２は、図１に示した家具を後面側から見た斜視図である。
【図３】図３は、図１に示した家具の正面図である。
【図４】図４は、図１に示した家具を前面側から見た分解斜視図である。
【図５】図５は、図１に示した家具の要部拡大断面平面図である。
【図６】図６は、図１に示した家具に物品を支持させた状態を前面側から見た斜視図である。
【図７】図７は、図１に示した家具に物品を支持させた状態の側面図である。
【図８】図８は、図１に示した家具に物品を支持させた状態の断面側面図である。
【図９】図９は、本発明の実施の形態２である家具を後面側から見た斜視図である。
【図１０】図１０は、図９に示した家具の側面図である。
【図１１】図１１は、図９に示した家具の断面側面図である。
【図１２】図１２は、図９に示した家具を前面側から見た斜視図である。
【図１３】図１３は、図９に示した家具に物品を支持させた状態を後面側から見た斜視図である。
【図１４】図１４は、図９に示した家具に物品を支持させた状態の断面側面図である。
【発明を実施するための形態】
【００１８】
以下に添付図面を参照して、本発明に係る家具の好適な実施の形態について詳細に説明する。
【００１９】
（実施の形態１）
図１〜図４は、本発明の実施の形態１である家具を示したものである。ここで例示する家具は、物品として液晶テレビモニタＴＶを支持するためのもので、基台１０を備えている。基台１０は、前面及び後面が開口した箱状を成し、四隅部に設けた脚部材１１により底板１２が床面から離隔した状態で配置されるものである。本実施の形態１では、前後の奥行きに対して左右の幅が２倍以上となり、かつ矩形状を成す天板１３の高さが一般的な座卓と同程度の高さを有するように基台１０が構成してある。天板１３の左右の幅は、支持対象として想定している最大サイズの液晶テレビモニタＴＶよりも大きく設定してある。
【００２０】
この基台１０には、天板１３、底板１２及び一対の側板１４の間に構成される収納部の内部に前後仕切板１５及び左右仕切板１６が設けてあるとともに、後面に蓋部材１７が配設してある。前後仕切板１５は、図８に示すように、基台１０の収納部を前後に分割して前方収納室ＦＣと後方収納室ＲＣとを構成するためのものであり、左右仕切板１６は、図１に示すように、前方収納室ＦＣを左右に分割するためのものである。左右仕切板１６が、前方収納室ＦＣをほぼ等分割する位置に配設してあるのに対して、前後仕切板１５は、図８からも明らかなように、前方収納室ＦＣが後方収納室ＲＣに対してほぼ２倍の容積を有するように、その位置が設定してある。蓋部材１７は、後方収納室ＲＣの後面開口を閉塞することのできる大きさを有した矩形の平板である。この蓋部材１７は、図２に示すように、その下端縁と底板１２の後端縁との間にヒンジＨを介在させることによって底板１２に支持させてあり、下端縁を軸心として揺動することにより後方収納室ＲＣの後端開口を開閉することが可能である。尚、図には明示していないが、蓋部材１７と基台１０の天板１３との間には、蓋部材１７を閉じた状態に維持するための磁石を利用した吸着手段が設けてある。
【００２１】
基台１０の天板１３には、挿通孔１３ａが設けてある。挿通孔１３ａは、図４、図５、図８に示すように、横長の矩形状を成すもので、収納部の後方収納室ＲＣに連通し、かつ開口前縁面が前後仕切板１５の後面と面一となる位置に形成してある。挿通孔１３ａの左右方向の位置は、天板１３の略中央である。この天板１３の挿通孔１３ａには、内部に一対の支柱部材２０が配設してあるとともに、周囲にカバー部材３０が設けてある。
【００２２】
一対の支柱部材２０は、それぞれ基台１０の全高よりも十分な長さを有し、かつ互いの間に間隔（ケーブル挿通域）を確保した状態で挿通孔１３ａに挿通可能となる角柱状を成すものであり、互いの上端部の間が上下一対の桟部材２１によって互いに連結してある。これらの支柱部材２０は、図８に示すように、挿通孔１３ａを介して個々の下端部が基台１０の後方収納室ＲＣに収容してある一方、個々の上端部が天板１３の上面から上方に突出した状態で互いに平行となるように配設してあり、後方収納室ＲＣに収容した下端部が前後仕切板１５の後面にネジ（図示せず）で締結してある。天板１３の上面から上方に突出した支柱部材２０には、一対の係止突起２２、支持部材４０及びベースパネル５０が配設してある。
【００２３】
一対の係止突起２２は、図４及び図８に示すように、支柱部材２０の互いに対向する内方面から相互に近接する方向に突出した小径の円柱状部材であり、支柱部材２０の上端部において桟部材２１よりも後方側となる部位に設けてある。
【００２４】
支持部材４０は、一対の支持ブラケット４１の間に一対の支持ロッド４２を架設することによって構成したものである。一対の支持ロッド４２は、互いに同じ外径を有した円柱状を成すもので、一対の支持ブラケット４１の間に互いに平行となるように配設してある。この支持部材４０は、支持ロッド４２が天板１３の左右方向に沿ってほぼ水平となる姿勢で支持ブラケット４１を介して支柱部材２０の前面に取り付けてある。
【００２５】
ベースパネル５０は、左右の幅が天板１３とほぼ同じ寸法を有し、かつ支持対象として想定している最大サイズの液晶テレビモニタＴＶよりもさらに大きな高さを有した矩形の平板状を成すものである。このベースパネル５０は、前面に設けた一対の支持金具５１を介して支持部材４０の支持ロッド４２に支持させることにより、天板１３に対して直角となる姿勢で天板１３の上方域に立設してある。支持金具５１は、上端部に係止爪部５１ａを有するとともに、下端部に締結片部５１ｂを有したもので、ベースパネル５０の前面から突出するように設けてある。これら一対の支持金具５１は、相互間隔が一対の支柱部材２０の互いに対向する内方面に合致するように設けてあり、係止爪部５１ａをそれぞれ係止突起２２に係止させた状態で締結片部５１ｂのネジ挿通孔５１ｃを介して支柱部材２０にネジＢを締結することにより支柱部材２０に取り付けられた状態となる。支持金具５１を介して支持されたベースパネル５０は、天板１３の上面との間に隙間を確保した位置に配置され、前面が天板１３の前縁面とほぼ平行となる。
【００２６】
カバー部材３０は、前方カバー要素３０Ｆと後方カバー要素３０Ｒとを互いに前後に接合することによって角筒状に構成したもので、天板１３において挿通孔１３ａの開口周縁部となる位置から上方に突出した状態で天板１３に配設してある。より具体的に説明すると、図４及び図５に示すように、前方カバー要素３０Ｆは、一対の支柱部材２０の前面に渡る長さを有した前方主板部３０Ｆａと、前方主板部３０Ｆａの両端部からそれぞれ後方に向けてほぼ９０°に屈曲した一対の前方側板部３０Ｆｂとを有したものであり、後方カバー要素３０Ｒは、一対の支柱部材２０の後面に渡る長さを有した後方主板部Ｒａと、後方主板部Ｒａの両端部からそれぞれ前方に向けてほぼ９０°に屈曲した一対の後方側板部Ｒｂとを有したものである。
【００２７】
前方カバー要素３０Ｆの前方主板部３０Ｆａ及び後方カバー要素３０Ｒの後方主板部Ｒａには、互いに対向する部位にそれぞれ一対の係止片３０Ｆｃ，３０Ｒｃが設けてある。前方カバー要素３０Ｆに設けた係止片（以下、「前方係止片３０Ｆｃ」という）は、前方主板部３０Ｆａにおいて一対の支柱部材２０の相互間となる位置から後方主板部Ｒａに向けて突出した平板状部材であり、後方側上隅部に係止ネジ３１を備えている。後方カバー要素３０Ｒに設けた係止片（以下、「後方係止片３０Ｒｃ」という）は、後方主板部Ｒａにおいて前方係止片３０Ｆｃに対応する位置から前方主板部３０Ｆａに向けて突出した平板状部材であり、前方側上隅部に係止爪片３２を有している。これら前方係止片３０Ｆｃ及び後方係止片３０Ｒｃは、係止ネジ３１に係止爪片３２を係止させることによって互いに連結してあり、前方側板部３０Ｆｂ及び後方側板部Ｒｂとの間にそれぞれ支柱部材２０を囲繞した状態で、前方カバー要素３０Ｆ及び後方カバー要素３０Ｒを互いに接合した状態に維持している。
【００２８】
上記のように構成した家具に液晶テレビモニタＴＶを支持させるには、取付金具６０を適用する。取付金具６０は、図１及び図８に示すように、支持ブラケット４１の間に架設した一対の支持ロッド４２を収容することのできるメイン収容溝６０Ｍａを有したメイン金具６０Ｍと、メイン金具６０Ｍに対してスライド可能に配設し、下方に位置する支持ロッド（以下、区別する場合に「下方支持ロッド４２」という）を収容することのできるサブ収容溝６０Ｓａを有したサブ金具６０Ｓとを備えて構成したもので、メイン金具６０Ｍを介して液晶テレビモニタＴＶの後面両側に取り付けてある。メイン金具６０Ｍは、上下方向に沿った複数のネジ挿通孔６０Ｍｂを有しており、任意のネジ挿通孔６０Ｍｂを選択することで液晶テレビモニタＴＶに対する取付位置を調整することが可能である。
【００２９】
メイン金具６０Ｍは、メイン収容溝６０Ｍａの上端部にメインフック６０Ｍｃを有しており、メイン収容溝６０Ｍａに一対の支持ロッド４２を収容した場合にメインフック６０Ｍｃを介して支持部材４０に係止することが可能である。サブ金具６０Ｓは、サブ収容溝６０Ｓａの上端部にサブフック６０Ｓｃを有しており、メイン収容溝６０Ｍａに一対の支持ロッド４２を収容した状態でメイン金具６０Ｍに対して下方に移動させた場合、メイン金具６０Ｍとの間に下方支持ロッド４２を挟持することが可能である。尚、図１及び図７に示すように、メイン金具６０Ｍは、上下方向に沿ったスライド溝６０Ｍｄを有しており、このスライド溝６０Ｍｄを介してサブ金具６０Ｓに調整ネジ６１を締結することにより、サブ金具６０Ｓの相対移動を規制する。調整ネジ６１を弛緩させれば、メイン金具６０Ｍに対してサブ金具６０Ｓを上下方向に移動させることが可能である。
【００３０】
この取付金具６０を適用する場合には、まずメイン金具６０Ｍに対してサブ金具６０Ｓを上方に移動させ、サブフック６０Ｓｃとメイン金具６０Ｍとの間に下方支持ロッド４２を収容させることのできる間隙を確保する。この状態から上方に位置する支持ロッド４２（以下、区別する場合に「上方支持ロッド４２」という）を先にメイン収容溝６０Ｍａに収容させてメインフック６０Ｍｃに係止させた後、下方支持ロッド４２をメイン収容溝６０Ｍａに収容させる。この状態でメイン金具６０Ｍに対してサブ金具６０Ｓを下方に移動させれば、下方支持ロッド４２がメイン金具６０Ｍとサブ金具６０Ｓとの間に挟持されることになり、取付金具６０及び支持部材４０を介して液晶テレビモニタＴＶを家具に支持させることができる。液晶テレビモニタＴＶを支持させる位置は、できるだけ支柱部材２０の下方となるようにメイン金具６０Ｍの取付位置を適宜調整し、カバー部材３０の上端が液晶テレビモニタＴＶの下端よりも上方に位置することが好ましい。
【００３１】
この状態においては、図２、図７、図８に示すように、液晶テレビモニタＴＶの後面全域がベースパネル５０によって覆われることになる。従って、室内の中央部等、室内壁面から離した位置に液晶テレビモニタＴＶを配置した場合にも見栄えが損なわれることがない。しかも、液晶テレビモニタＴＶの後面に設けられたコネクタや端子（図示せず）が異物に接触することもなくなり、液晶テレビモニタＴＶの機能が損なわれる恐れがなくなる。さらに、天板１３に設けた挿通孔１３ａの周囲をカバー部材３０によって覆うようにしているため、液晶テレビモニタＴＶに設けられた電源ケーブルや各種信号ケーブルＴＶＣを天板１３の挿通孔１３ａから基台１０の後方収納室ＲＣに導出してまとめておけば、外部への露出が最小限に留められ、外観品質上きわめて有利となる。後方収納室ＲＣに導出した電源ケーブルや信号ケーブルＴＶＣについては、蓋部材１７を開けることで容易に取り扱うことが可能である。
【００３２】
尚、上述した実施の形態１では、挿通孔１３ａの周囲を覆うカバー部材３０として前方カバー要素３０Ｆと後方カバー要素３０Ｒとを接合したものを適用しているため、挿通孔１３ａに支柱部材２０を配置した後においても挿通孔１３ａを容易に開放することが可能であり、ケーブルＴＶＣの敷設作業を容易に行うことが可能であるが、必ずしも２つのカバー要素を接合したものを適用する必要はない。２つのカバー要素から成るものを適用する場合には、前後に接合するものに限らず、左右に接合するようにカバー部材を構成することも可能である。
【００３３】
（実施の形態２）
図９〜図１２は、本発明の実施の形態２である家具を示したものである。ここで例示する家具は、物品として液晶テレビモニタＴＶを支持するためのもので、基台１１０及び補助テーブル１７０を備えている。基台１１０は、前面が開口した箱状を成すもので、四隅部に設けた脚部材１１１により底板１１２が床面から離隔した状態で配置されるものである。本実施の形態２では、前後の奥行きに対して左右の幅が３倍以上となり、かつ矩形状を成す天板１１３の高さが、椅子に腰掛けて使用する一般的な洋テーブルと同程度の高さを有するように基台１１０が構成してある。天板１１３の左右の幅は、支持対象として想定している最大サイズの液晶テレビモニタＴＶよりも大きく設定してある。
【００３４】
図１１及び図１２に示すように、この基台１１０には、天板１１３、底板１１２、一対の側板１１４及び背板１１７の間に構成される収納部の内部に２枚の左右仕切板１１６及び１枚の上下仕切板１１５が設けてある。左右仕切板１１６は、基台１１０の収納部を左方収納室ＬＣ、中央収納室ＣＣ、右方収納室ＲＣに３分割するためのものであり、上下仕切板１１５は、これら左方収納室ＬＣ、中央収納室ＣＣ、右方収納室ＲＣをさらに上下に２分割するためのものである。基台１１０の天板１１３には、挿通孔１１３ａが設けてあるとともに、上方域にベースパネル１５０が配設してある。
【００３５】
挿通孔１１３ａは、図には明示していないが、横長の矩形状を成すもので、天板１１３の後方側において左右方向のほぼ中央となる位置で天板１１３を貫通している。この挿通孔１１３ａは、収納部の中央収納室ＣＣに設けたガイド通路１８０に連通している。ガイド通路１８０は、天板１１３の下面との間にガイド部材１８１を配設することによって構成したもので、一端部が挿通孔１１３ａを介して天板１１３の上面に開口し、かつ他端部が基台１１０の背板１１７に設けた導出孔１１７ａに開口している。
【００３６】
ベースパネル１５０は、左右の幅が天板１１３とほぼ同じ寸法を有し、かつ支持対象として想定している液晶テレビモニタＴＶよりもさらに大きな高さを有した矩形の平板状を成すもので、後面が挿通孔１１３ａの開口前縁面と面一となる位置に天板１１３に対して略直角となる姿勢で立設してある。このベースパネル１５０には、前面に上部収納棚２００が付設してある一方、後面にカバー部材１３０及び支持部材１４０が設けてある。
【００３７】
上部収納棚２００は、天板２０１、一対の側板２０２及び背板２０３を備え、基台１１０の天板１１３を底板として箱状に構成したものである。上部収納棚２００の内部は、前面にのみ開口し、２枚の左右仕切板２０４及び１枚の上下仕切板２０５によって内部が６分割してある。図からも明らかなように、上部収納棚２００は、奥行きが基台１１０よりも小さく設定してあり、前面を互いに一致した位置に配置することにより、天板１１３の上面においてベースパネル１５０の後方側となる位置に物品支持領域を確保している。
【００３８】
カバー部材１３０は、図９に示すように、挿通孔１１３ａの開口後縁に沿って配置される主板部１３０ａと、主板部１３０ａの両端部からそれぞれ後方に向けて屈曲した一対の側板部１３０ｂとを有したものであり、側板部１３０ｂの先端縁をそれぞれベースパネル１５０の後面に当接させた状態で天板１１３の上部に配設してある。
【００３９】
支持部材１４０は、一対の支持ブラケット１４１の間に一対の支持ロッド１４２を架設することによって構成したものである。一対の支持ロッド１４２は、互いに同じ外径を有した円柱状を成すもので、一対の支持ブラケット１４１の間に互いに平行となるように配設してある。この支持部材１４０は、支持ロッド１４２が天板１１３の左右方向に沿ってほぼ水平となる姿勢で支持ブラケット１４１を介してベースパネル１５０の後面に取り付けてある。
【００４０】
補助テーブル１７０は、図１２及び図１３に示すように、左右の幅が基台１１０の天板１１３とほぼ同じに構成した補助天板１７１を有し、補助天板１７１の上面が天板１１３の上面と面一となるように脚部材１７２を介して設置されるものである。
【００４１】
上記のように構成した家具に液晶テレビモニタＴＶを支持させるには、取付金具１６０を適用する。取付金具１６０は、実施の形態１で例示したものと同様に構成したメイン金具１６０Ｍとサブ金具１６０Ｓとを備え、先と同様の手順で支持部材１４０に取り付けることにより液晶テレビモニタＴＶを家具に支持させることができる。液晶テレビモニタＴＶを支持させる位置は、できるだけベースパネル１５０の下方となるようにメイン金具１６０Ｍの取付位置を適宜調整し、カバー部材１３０の上端が液晶テレビモニタＴＶの下端よりも上方に位置することが好ましい。
【００４２】
この状態においては、図１３及び図１４に示すように、液晶テレビモニタＴＶの後面全域がベースパネル１５０によって覆われることになる。従って、室内の中央部等、室内壁面から離した位置に液晶テレビモニタＴＶを配置した場合にも見栄えが損なわれることがない。しかも、液晶テレビモニタＴＶの後面に設けられたコネクタや端子（図示せず）が異物に接触することもなくなり、液晶テレビモニタＴＶの機能が損なわれる恐れがなくなる。さらに、天板１１３に設けた挿通孔１１３ａの周囲をカバー部材１３０によって覆うようにしているため、液晶テレビモニタＴＶに設けられた電源ケーブルや各種信号ケーブルＴＶＣを天板１１３の挿通孔１１３ａからガイド通路１８０を介して基台１１０の後方側へ導出させれば、外部への露出が最小限に留められ、外観品質上きわめて有利となる。基台１１０の後方側へ導出した電源ケーブルや信号ケーブルＴＶＣについては、補助テーブル１７０の下方において外部に露出させることなく容易に取り扱うことが可能である。
【００４３】
尚、上述した実施の形態１及び実施の形態２では、いずれも液晶テレビモニタＴＶを支持する家具を例示しているが、液晶テレビモニタＴＶに替えてホワイトボードを支持するように構成しても良い。
【符号の説明】
【００４４】
１０      基台
１３      天板
１３ａ      挿通孔
１５      前後仕切板
１７      蓋部材
２０      支柱部材
３０      カバー部材
４０      支持部材
５０      ベースパネル
１１０      基台
１１３      天板
１１３ａ      挿通孔
１１７      背板
１１７ａ      導出孔
１３０      カバー部材
１４０      支持部材
１５０      ベースパネル
１７０      補助テーブル
１７１      補助天板
１８０      ガイド通路
１８１      ガイド部材
２００      上部収納棚
ＴＶ      液晶テレビモニタ
【図１】
2014090873.tif 000003
【図２】
2014090873.tif 000004
【図３】
2014090873.tif 000005
【図４】
2014090873.tif 000006
【図５】
2014090873.tif 000007
【図６】
2014090873.tif 000008
【図７】
2014090873.tif 000009
【図８】
2014090873.tif 000010
【図９】
2014090873.tif 000011
【図１０】
2014090873.tif 000012
【図１１】
2014090873.tif 000013
【図１２】
2014090873.tif 000014
【図１３】
2014090873.tif 000015
【図１４】
2014090873.tif 000016